(57)【要約】【課題】電波吸収シートの薄さをそのまま活かせ、また、電波吸収シートが薄くて直接設けることができない場所においても簡単に設置が可能となり、さらに、耐環境性に優れた電波吸収パネルを提供することを目的とする。【解決手段】表て面が電波入射面側となる電波吸収シート２と電波吸収シート２の裏面に積層状に設けた反射層３とからなるシート状電波吸収体１と、浅皿状の筐体４と、を備える。筐体４は、シート状電波吸収体１の裏面を覆う底壁部５と、シート状電波吸収体１の周端縁６を囲う周囲壁部７とを有する。【選択図】  図１
2004327888.tif 000002
【特許請求の範囲】
【請求項１】
表て面（２ａ）が電波入射面側となる電波吸収シート（２）と該電波吸収シート（２）の裏面（２ｂ）に積層状に設けた反射層（３）とからなるシート状電波吸収体（１）と、該シート状電波吸収体（１）の裏面（１ｂ）を覆う底壁部（５）と該シート状電波吸収体（１）の周端縁（６）を囲う周囲壁部（７）とを有する浅皿状の筐体（４）と、を具備することを特徴とする電波吸収パネル。
【請求項２】
上記シート状電波吸収体（１）と上記筐体（４）とは、接着及び／又は連結部材による接続にて、一体のパネル状とされた請求項１記載の電波吸収パネル。
【請求項３】
上記筐体（４）の深さ寸法（Ｄ）を、上記シート状電波吸収体（１）の厚さ寸法（Ｔ）以上に設定した請求項１又は２記載の電波吸収パネル。
【請求項４】
表て面（２ａ）が電波入射面側となる電波吸収シート（２）と、該電波吸収シート（２）の裏面（２ｂ）を覆う底壁部（５）と該電波吸収シート（２）の周端縁（１１）を囲う周囲壁部（７）とを有する浅皿状の金属製筐体（４）と、を具備することを特徴とする電波吸収パネル。
【請求項５】
上記電波吸収シート（２）と上記金属製筐体（４）とは、接着及び／又は連結部材による接続にて、一体のパネル状とされた請求項４記載の電波吸収パネル。
【請求項６】
上記筐体（４）の深さ寸法（Ｄ）を、上記電波吸収シート（２）の厚さ寸法（ｔ）以上に設定した請求項４又は５記載の電波吸収パネル。
【請求項７】
上記筐体（４）の裏面（４ｂ）に補強部材（８）を設けた請求項１，２，３，４，５又は６記載の電波吸収パネル。
【請求項８】
上記電波吸収シート（２）の上記表て面（２ａ）を凹凸形状とした請求項１，２，３，４，５，６又は７記載の電波吸収パネル。
【発明の詳細な説明】
【０００１】
【発明の属する技術分野】
本発明は電波吸収パネルに関する。
【０００２】
【従来の技術】
近年、高速道路交通システムの一分野である有料道路の自動料金収受（ＥＴＣ）システムが全国的に採用されている。このＥＴＣシステムによれば、料金所での自動車のノンストップによる渋滞解消、キャッシュレス化への対応、料金所での無人化等を図ることが可能となる。
【０００３】
このＥＴＣシステムは、料金所のアーチ状のゲート（ガントリー）の上辺に設置した路側アンテナから道路に向けて電波を発信し、この道路を走行通過する自動車の車載器と上記路側アンテナとの間で双方向通信を行うものである。その際、路側アンテナから直接的に車載器へ電波が到達するのみであれば、問題は生じないのであるが、上記路側アンテナから発信された電波が一旦道路面等で反射し、さらに料金所の天井面や料金所付近の構造物（高架道路の桁裏等）で再反射すると、再び上記車載器へ電波が到達し、一度の通過にかかわらず、二度の料金徴収を行う等の誤操作のおそれがあった。
そこで、上記料金所及びその近傍において電波の反射を低減乃至無くするための電波吸収パネルを取り付ける必要がある。
【０００４】
また、従来より知られている電波吸収特性を備える電波吸収シートとしては、以下のようなものがある。▲１▼高分子材料（塩素化ポリエチレン、ＥＶＡ、ポリエチレン等の樹脂材料、シリコンゴム、エチレンプロピレンゴム等のゴム材料）に、磁性粉末（フェライト粉末、カルボニル還元鉄粉等）や導電性カーボンを配合した組成物を圧延やプレス成形によりシート状にしたもの（例えば、特許文献１、特許文献２参照）や、▲２▼火山噴出物や炭酸カルシウム等の無機材料に、フェライトや導電性カーボンを配合した組成物を型枠にてシート状に成形したもの（例えば、特許文献３、特許文献４参照）や、▲３▼高分子材料に磁性粉体を配合した組成物で、電波入射面に凹凸を設け、対応周波数を高周波数域「ＧＨｚ帯域」での電波吸収特性を有するように加工したもの（例えば、特許文献５、特許文献６参照）がある。
【０００５】
そして、これらシート状の電波吸収シートが近年多く使用されるようになり、屋外においても使用される機会が増えてきた。シート状の電波吸収シートは、可撓性があり、曲面部における施工に適しており、施工場所によってはスペースが取れない場所においても、その薄さを活かして施工ができるという利点がある。また、電波吸収シートの裏面には、電波反射層が接着剤等により積層状に接着されている。
【０００６】
【特許文献１】
特開２０００−１５１１７７号公報
【特許文献２】
特開２０００−１５１１８３号公報
【特許文献３】
特開２００１−３２６４９１号公報
【特許文献４】
特開平１１−３４９７２０号公報
【特許文献５】
特開平７−１０６７８５号公報
【特許文献６】
特開２００１−３３９１９０号公報
【０００７】
【発明が解決しようとする課題】
しかし、シート状の電波吸収シートを、エキスパンドメタル面や、取付面の形状が複雑な部位に施工するのは難しく、また、屋外において電波吸収シートが露出するため、電波吸収シートと反射層との間に雨水等が浸入して接着界面の強度が低下し、相互が剥がれ、電波吸収特性を低下させるおそれがある。
【０００８】
そこで本発明は、電波吸収シートの薄さをそのまま活かせ、また、電波吸収シートが薄くて直接設けることができない場所においても簡単に設置が可能となり、さらに、耐環境性に優れた電波吸収パネルを提供することを目的とする。
【０００９】
【課題を解決するための手段】
上述の目的を達成するために、本発明に係る電波吸収パネルは、表て面が電波入射面側となる電波吸収シートと該電波吸収シートの裏面に積層状に設けた反射層とからなるシート状電波吸収体と、該シート状電波吸収体の裏面を覆う底壁部と該シート状電波吸収体の周端縁を囲う周囲壁部とを有する浅皿状の筐体と、を具備するものである。
また、上記シート状電波吸収体と上記筐体とは、接着及び／又は連結部材による接続にて、一体のパネル状とされている。また、上記筐体の深さ寸法を、上記シート状電波吸収体の厚さ寸法以上に設定している。
または、本発明に係る電波吸収パネルは、表て面が電波入射面側となる電波吸収シートと、該電波吸収シートの裏面を覆う底壁部と該電波吸収シートの周端縁を囲う周囲壁部とを有する浅皿状の金属製筐体と、を具備するものである。
また、上記電波吸収シートと上記金属製筐体とは、接着及び／又は連結部材による接続にて、一体のパネル状とされている。また、上記筐体の深さ寸法を、上記電波吸収シートの厚さ寸法以上に設定している。
【００１０】
また、上記筐体の裏面に補強部材を設けたものである。また、上記電波吸収シートの上記表て面を凹凸形状としてもよい。
【００１１】
【発明の実施の形態】
以下、図示の実施の形態に基づき、本発明を詳説する。
【００１２】
図１と図２は、本発明に係る電波吸収パネルＰの実施の一形態を示す斜視図であり、図１は電波吸収パネルＰを表て面側から見た図であり、図２は裏面側から見た図である。
本発明では、表て面とは電波（電磁波）が入射する面側を言い、裏面がその反対側の面であり取付面となる側である。従って、図５の設置状態にある電波吸収パネルＰの断面図に示すように、矢印Ａを（道路等にて反射した）電波の進行方向とし、電波吸収パネルＰが例えば天井面である取付部９に設置されると、電波吸収パネルＰの表て面が下方向きとなり、裏面が上方向きとなる。
【００１３】
図３は、本発明の電波吸収パネルＰの断面図であり、この電波吸収パネルＰは、シート状電波吸収体１と、そのシート状電波吸収体１を収容する浅皿状の筐体４と、を具備する。そして、シート状電波吸収体１は、表て面２ａが電波入射面側となる電波吸収シート２と、電波吸収シート２の裏面２ｂに積層状に設けた反射層３とからなる。
【００１４】
電波吸収シート２は電磁波吸収シートとも呼ばれ、従来より知られるものが適用できるが、具体的に説明すると、電波吸収シート２は、例えば、バインダー（樹脂やゴム等の高分子材料）に電波損失剤（導電性カーボン、磁性粉体）を配合し、混練して得られた組成物をプレス加工やロール圧延加工等によって引き延ばし、厚さが  １ｍｍ〜１０ｍｍ程度のシート状に成形したものがある。
【００１５】
バインダーは、樹脂材料やゴム材料が使用でき、樹脂材料としては、塩素化ポリエチレン、エチレン−酢酸ビニル共重合体（ＥＶＡ）、ポリエチレン等が好ましく、電波吸収特性を向上させることができる。また、ゴム材料としては、シリコンゴム、エチレンプロピレンゴム等が好ましく、電波損失剤を多量に配合でき電波吸収特性を向上させることができる。
電波損失剤として使用する磁性粉体は、フェライト粉末や、カルボニル還元鉄粉等としている。
【００１６】
配合割合について説明すると、例えば、バインダー  １００重量部に対して、（バインダー及び電波吸収剤の種類によって多少異なるが）電波損失剤の配合は１０重量部〜１０００重量部とすればよい。下限値未満であると、十分な電波吸収特性を得ることが困難となり、上限値を超えると、シート状に加工することが困難となる傾向にある。
【００１７】
また、電波吸収シート２の他の具体的な例としては、火山噴出物（シラス）や炭酸カルシウム等の無機材料に、フェライト粉末、カルボニル還元鉄粉や導電性カーボンを配合した組成物を型枠にて薄いシート状に成形したものがある。
なお、これら電波吸収シート２には、電波吸収特性に影響しない範囲で、充填剤、可塑剤、着色剤等を適宜配合してもよい。
【００１８】
このようにして得られた電波吸収シート２と積層状に設けられる反射層（電波反射層）３は、電波吸収シート２の電波入射面（表て面２ａ）と反対側の面（裏面２ｂ）に設けられ、反射層３は、導電材料とされ、例えば、金属板、金属シート、金属箔や、電波吸収シート２の裏面２ｂに塗布された導電塗料としている。
反射層３は、入射してきた電波を反射して、続いて新たに入射してきた電波を相殺するために設けられるものであり、導電性を有し、電波吸収シート２の終端インピーダンスが０（ゼロ）となるものであれば特に制限はなく使用できる。
【００１９】
反射層３の具体的材質としては、アルミニウム、銅、鉄等の金属箔が好ましく、特にアルミニウム箔が良い。このような反射層３は、優れた電波吸収特性をシート状電波吸収体１に供えさせるために、電波吸収シート２と反射層３とを隙間無く隣接させて積層状に配置するのが好ましい。
また、電波吸収シート２と反射層３との接着は、熱圧着による手段や接着剤を用いる手段等がある。
【００２０】
次に、筐体４について説明すると、図１と図２と図３に示すように、筐体４は、シート状電波吸収体１の裏面１ｂを覆う底壁部５と、シート状電波吸収体１の周端縁６の全周を囲う周囲壁部７とを有し、浅皿状としている。
筐体４は、広面積の底壁部５の周縁に直角に立設状となる周囲壁部７が形成されるため、周囲壁部７が補強リブとして作用するため、電波吸収パネルＰの剛性を高めることができる。
【００２１】
そして、シート状電波吸収体１と筐体４とは、接着剤を用いて相互を接着してもよく、又は、小ネジ（ドリリングネジ）やビス等の連結部材により接続を行ってもよく、又は、接着剤にて接着を行うと共に連結部材による接続を行うことで、一体のパネル状（パネル体）とされている。接着剤による接着の場合は、シート状電波吸収体１の裏面１ｂの全面に渡って、接着界面が形成されるよう接着剤を塗布するのが好ましく、連結部材にて固定する場合は、シート状電波吸収体１の複数箇所に貫通孔を設け、連結部材を挿通状として全体に弛みが生じないよう固定すればよい。
【００２２】
筐体４は、金属製や、樹脂製等とすることができ、金属製の場合は、薄板の側縁を折り曲げて周囲壁部７を形成すればよく、例えば、矩形の金属板の四辺をシート状電波吸収体１の厚さ寸法Ｔ以上の寸法で折り曲げて、一方が開口する浅い箱状の皿形容器とすればよい。具体的な材質としては、鋼、ステンレス鋼、アルミニウム、アルミニウム合金等がある。
また、筐体４を樹脂製とする場合は、金型により成形すればよく、例えば射出成形により、一工程にて底壁部５及び周囲壁部７とを同時に作製できる。材質としては、ポリカーボネイト樹脂やアクリル樹脂が好ましく、特には、これら樹脂と無機繊維との複合材であるＦＲＰ製が好ましい。
【００２３】
また、筐体４を金属製とした場合、筐体４自身が上記説明した作用を有する反射層３の役割を有するので、図６の他の実施の形態を表す断面図に示すように、（図３の反射層３を省略して）金属製の筐体４に直接電波吸収シート２を設けてもよい。この場合、筐体４と電波吸収シート２とは、図３の場合と同様に、接着剤及び／又は連結部材による接続にて、一体のパネル状にすればよい。
【００２４】
即ち、図６に示すように、電波吸収パネルＰは、表て面２ａが電波入射面側となる電波吸収シート２と、電波吸収シート２の裏面２ｂを覆う底壁部５と電波吸収シート２の周端縁１１を囲う周囲壁部７とを有する浅皿状の金属製筐体４と、を具備する。
【００２５】
なお、筐体４（電波吸収パネルＰ）の形状は、平面視矩形状以外にも切欠部を有するものとしてもよく、さらには、平盤状のパネル体とする以外にも、例えば、電波入射面（シート状電波吸収体１の表て面１ａ）が複数段状となる段付き構造や、全体乃至一部が曲面状となる曲面構造としてもよく、シート状電波吸収体１（電波吸収シート２）に可撓性が有ると、このような構成も自在である。
【００２６】
さらに、図１及び図２に示すように、筐体４の裏面４ｂに補強部材８を設けてもよい。補強部材８としては、型鋼（溝型鋼、アングル材、ダクター等）、角パイプ、軸部材等の長尺補強梁部材があり、１本又は複数本設けており、図２では、２本を平行にパネルＰの長手方向に沿って配設している。又は図示省略するが、井桁状に配設してもよい。
【００２７】
図４は、本発明の電波吸収パネルＰの他の実施例を示す断面図であり、このパネルＰが備えるシート状電波吸収体１では、電波吸収シート２の表て面２ａを凹凸形状としている。図４では、断面三角凹凸形状としているが、これに限らず、図示省略するが、断面四角形の凹凸形状とし、凹部が複数のスリットを形成するような形状としてもよい。なお、図示省略するが、図６に示した電波吸収パネルＰの電波吸収シート２の表て面２ａを凹凸形状としてもよい。
【００２８】
また、図３及び図４の実施の形態において、筐体４の深さ寸法Ｄを、シート状電波吸収体１の厚さ寸法Ｔ以上に設定している（Ｄ≧Ｔ）。また、図６の実施の形態において、筐体４の深さ寸法Ｄを、電波吸収シート２の厚さ寸法ｔ以上に設定している（Ｄ≧ｔ）。つまり、電波吸収シート２の表て面２ａは、筐体４の周囲壁部７の端面１０より突出せず、表て面２ａは、周囲壁部７の端面１０と同一面、乃至、端面１０より内方へ控えた状態となる。より好ましい形態は、Ｄ＞Ｔ（ｔ）であり、具体的には、深さ寸法Ｄは、厚さ寸法Ｔ（ｔ）の  １．１倍〜１０倍の寸法であることが、電波吸収特性の点、及び、耐候製、雨水の水切りの点からみて好ましい。
【００２９】
以上説明した電波吸収パネルＰは、図５に示す設置状態にある電波吸収パネルＰの断面図のように、有料道路の料金所の天井や料金所近傍の高架道路の桁裏等の取付部９に布設される形態が、最も適した使用形態であり、電波吸収パネルＰは、図示省略のボルトナット等の連結用部材等を用いて取付部９に、電波吸収シート２の表て面２ａが下方向き（下面）となるよう固定される。
【００３０】
【発明の効果】
本発明は上述の構成により次のような効果を奏する。
【００３１】
（請求項１によれば）厚さの薄い電波吸収パネルＰを構成することができ、電波吸収シート２のみでは直接設けることができない箇所や、スペースの小さい隙間においても、パネル化することによりシート状電波吸収体１を簡単に配設することが可能となる。
電波吸収シート２と反射層３との接合面が筐体４内に収容状態となるため、パネルＰが屋外に設置され、風雨にさらされても、その接合面に雨水が入ることがなく、接合面の強度低下のおそれがない。つまり、周囲壁部７が水切りとなり、接合面から水が浸入することを防ぎ、電波吸収シート２と反射層３とが剥がれるのを防止でき、耐環境性が求められる場所において設置が可能となる。
（請求項２によれば）シート状電波吸収体１の裏面１ｂの広面において接着剤による接着を行うことで、全体がしっかり弛みがないよう筐体４の底壁部５にシート状電波吸収体１を固定でき、機械的に連結部材にて接続することで、シート状電波吸収体１が筐体４から決して脱落することがない。
（請求項３によれば）シート状電波吸収体１の側周面への水の浸入を防止でき、また、直射日光が当たらず、耐環境性の優れたものとできる。
【００３２】
（請求項４によれば）厚さの薄い電波吸収パネルＰを構成することができ、電波吸収シート２のみでは直接設けることができない箇所や、スペースの小さい隙間においても、パネル化することにより、簡単に配設することが可能となる。
電波吸収シート２が筐体４内に収容状態となるため、パネルＰが屋外に設置され、風雨にさらされても、雨水が入ることがない。つまり、周囲壁部７が水切りとなり、耐環境性が求められる場所において設置が可能となる。
金属製の筐体４が電波に対する反射層としての機能を有するため、構成を簡素化でき、コストダウンが可能となる。
（請求項５によれば）電波吸収シート２裏面２ｂの広面において接着剤による接着を行うことで、全体がしっかり弛みがないよう金属製の筐体４の底壁部５に電波吸収シート２を固定でき、機械的に連結部材にて接続することで、電波吸収シート２が筐体４から決して脱落することがない。
（請求項６によれば）電波吸収シート２の側周面への水の浸入を防止でき、また、直射日光が当たらず、耐環境性の優れたものとできる。
【００３３】
（請求項７によれば）電波吸収パネルＰが薄くて広面積であっても、パネルＰの剛性を高めることができ、施工に際し扱いやすく、また、設置後も安定し強固なものとできる。
（請求項８によれば）吸収する電波の周波数が高周波数域「ＧＨｚ帯域」に対応できる電波吸収特性を供えさせることが可能となる。
【図面の簡単な説明】
【図１】本発明に係る電波吸収パネルの実施の一形態を示す表て面側からの斜視図である。
【図２】裏面側からの電波吸収パネルの斜視図である。
【図３】電波吸収パネルの断面図である。
【図４】電波吸収パネルの他の実施例を示す断面図である。
【図５】設置状態にある電波吸収パネルの断面図である。
【図６】電波吸収パネルの他の実施例を示す断面図である。
【符号の説明】
１  シート状電波吸収体
１ｂ  裏面
２  電波吸収シート
２ａ  表て面
２ｂ  裏面
３  反射層
４  筐体
４ｂ  裏面
５  底壁部
６  周端縁
７  周囲壁部
８  補強部材
１１  周端縁
Ｄ  深さ寸法
Ｔ  厚さ寸法
ｔ  厚さ寸法
【図１】
2004327888.tif 000003
【図２】
2004327888.tif 000004
【図３】
2004327888.tif 000005
【図４】
2004327888.tif 000006
【図５】
2004327888.tif 000007
【図６】
2004327888.tif 000008